(57)【要約】【課題】トランスミッタを有する電子機器には、接続端子に接続される接続コがアンテナとなって電界強度が変化するという問題がある。どのような接続端子の接続状態においても、トランスミッタから出力する際の電界強度が微弱無線局の規定を満足し、且つ電界強度が小さくなって受信不良やノイズが発生しないようにする。【解決手段】スピーカが出力する信号をラジオバンド帯域の電波に変換して送信するトランスミッタ２０と、トランスミッタ２０による送信中に接続コードが接続されている状態と接続されていない状態がある１以上の端子とを有する電子機器１は、端子の接続状態に基づいて送信出力レベルを調整する出力レベル設定手段１９を備え、出力レベル設定手段１９がトランスミッタから出力する際の電界強度が微弱無線局の規定を満足するように、且つ電界強度が小さくなって受信不良やノイズが発生しないようにその送信出力レベルを調整する。【選択図】図１
2009200653.tif 000002
【特許請求の範囲】
【請求項１】
スピーカから出力する音声信号をラジオバンド帯域の電波に変換して送信するトランスミッタと、前記トランスミッタによる送信中に接続コードが接続されている状態と接続されていない状態がある１以上の接続端子とを有する電子機器であって、
前記接続端子の前記接続コードとの接続状態に基づいて前記トランスミッタの送信出力レベルを調整する出力レベル設定手段を備えたことを特徴とする電子機器。
【請求項２】
前記トランスミッタはＦＭトランスミッタであることを特徴とする請求項１に記載の電子機器。
【請求項３】
前記出力レベル設定手段は、前記接続端子の前記接続コードとの接続状態が異なっても電界強度が略一定になるように、送信出力レベルを調整することを特徴とする請求項１に記載の電子機器。
【請求項４】
前記接続端子の前記接続コードとの接続状態とは、前記接続コードが接続されている前記接続端子の組み合わせであることを特徴とする請求項１に記載の電子機器。
【請求項５】
前記電子機器は、ナビゲーション機能を有した携帯用・車載用兼用の電子機器であり、前記接続端子は外部電源コードを接続する接続端子、パーキングブレーキのＯＮ／ＯＦＦ検出コードを接続する接続端子、外部ＧＰＳアンテナコードを接続する接続端子あるいはイヤホンを接続する接続端子であることを特徴とする請求項１ないし請求項４の何れかに記載の電子機器。
【発明の詳細な説明】
【技術分野】
【０００１】
本発明は、トランスミッタを有する電子機器に関するものであり、特に、ＦＭトランスミッタを有するポータブルナビゲーション装置などの電子機器に関し、接続端子の接続コードとの接続状態に応じて変動するトランスミッタの出力レベルを抑制するようにした電子機器に関するものである。
【背景技術】
【０００２】
音楽などの音を出力する電子機器として種々の装置があるが、ユーザに人気が高いものとしてナビゲーション装置がある。
【０００３】
ナビゲーション装置は、ＧＰＳ受信機、方位センサ、距離センサなどの現在位置検出手段と、リンクやノードで表された道路データを含む道路地図メモリと、表示部と、制御部等を有しており、道路地図に車両（ナビゲーション装置）の現在位置を重畳して表示する機能や、使用者による目的地の設定入力に応じて車両の現在位置あるいは使用者が設定した出発地から目的地までの経路を設定された所定の条件で道路データを用いて自動的に計算する経路探索機能を備えている。
【０００４】
上述の機能がナビゲーション装置の主たる機能であるが、現在ではナビゲーション装置に種々の機能が付加され、それに伴って出力する音の種類が増加している。
【０００５】
例えば、ＣＤ再生機能、ＤＶＤ再生機能、テレビジョン受信機能、ＶＩＣＳ受信機能、ＦＭ多重放送受信機能などが付加されている。また、電話機能やパーソナルコンピュータやインターネット機能の付加も考えられる。
【０００６】
一方、ナビゲーション装置には携帯可能なものがあり、特にポータブルナビゲーション装置では二次電池の省電力化や小型化のためにスピーカ出力が小さくなっている。このために、車両内でポータブルナビゲーション装置を使用するときは車両に既設された音響装置を利用してＣＤ再生機能、ＤＶＤ再生機能、テレビジョン受信機能などの音を出力したいという要望があった。
【０００７】
この方法として、車載用としても用いることができるナビゲーション装置と車両内に既設された音響装置を有線で接続することが考えられるが、この場合適合する接続端子が音響装置になかったり、接続コードが目障りになったりするという問題が生じる。
【０００８】
そこで、ナビゲーション装置にＦＭトランスミッション機能を付加して無線接続することが考えられた。
【０００９】
ＦＭトランスミッション機能とは、例えば、特許文献１（特開平６−３０９８５４号公報）に開示されているように、車内に設けられたＦＭトランスミッタ内蔵のアダプター本体にポータブルＣＤプレーヤ等の再生装置を装着し、再生装置から送られた音楽信号をＦＭラジオ放送帯域の電波に変えて車内に既設されている音響装置から出力するものである。これにより、再生装置に記録されている音楽を車内において視聴することができる。
【００１０】
尚、特許文献２（特開２００７−１９２５６４公報）にはＦＭトランスミッション機能が付加されたナビゲーション装置が開示されている。
【特許文献１】特開平６−３０９８５４号公報
【特許文献２】特開２００７−１９２５６４公報
【発明の開示】
【発明が解決しようとする課題】
【００１１】
ＦＭトランスミッタ専用装置であれば、使用時に接続コードが接続されていたり離脱されていたりすることはない。しかしながら、特に、ポータブルのナビゲーション装置では、使用時に、外部電源コードや外部ＧＰＳアンテナコード、パーキングブレーキＯＮ／ＯＦＦ検出コード等の接続コードが接続または離脱されていたりする。これらの接続コードが接続されると、トランスミッタの電波が内部のＦＭアンテナとは別に、装置に接続されたコードにも乗り、内部のＦＭアンテナから出力される電波とは別にコードからも同様の電波が出力されるため結果電界強度が高くなってしまう。
【００１２】
電界強度が高くなり、無線設備から３メートルの距離での電界強度（電波の強さ）が５００μＶ／ｍを越えると、微弱無線局の規定を逸脱し、無線局の免許が必要となる。そこで、出力強度を低くして、全ての接続コードを接続しても電界強度が微弱無線局の規定を満足できるように設計すると、今度は、接続コードを接続しないときの電界強度が弱くなり受信側の感度不良になったり、ノイズが入ったりするという問題が生じる。
【００１３】
上述の問題はポータブルナビゲーション装置のみの問題ではなく、ＦＭトランスミッタ使用時に、接続されていたり離脱されていたりする接続コードを有する電子機器に関係する問題である。例えば、ナビゲーション装置であれば、ＧＰＳの感度を向上させるための外部ＧＰＳアンテナがある。また、テレビ機能を有する機器であれば、テレビアンテナがある。また、ＣＤやＩＣなどの音響装置であれば、イヤホンがある。また、携帯電話装置であれば、イヤホンや外部電源コードがある。更に、ＦＭトランスミッタは車両のみでなく、室内のＦＭラジオ受信装置で受信することもでき、例えば、携帯電話装置に記憶された音楽をＦＭラジオ機能を有するミニコンポのスピーカから出力することもできる。このように、種々の電子機器で上記問題が生じる。
【００１４】
本願の発明者は上記の問題点を解消すべく種々検討を重ねた結果、スピーカから出力する音声信号をラジオバンド帯域の電波に変換して送信するトランスミッタと、前記トランスミッタによる送信中に接続コードが接続されている状態と接続されていない状態がある１以上の接続端子とを有するナビゲーション装置のような電子機器において、接続コードが接続されている接続端子の接続状態に応じた出力レベルを調整する出力レベル設定手段を備えれば上記の問題点を解消し得ることに想到して本発明を完成するに至ったものである。
【００１５】
すなわち、本発明は、スピーカから出力する音声信号をラジオバンド帯域の電波に変換して送信するトランスミッタを備えた電子機器において、接続端子と接続コードがどのような接続状態であっても、ＦＭトランスミッタから出力する際の電界強度が微弱無線局の規定を満足し、且つ電界強度が小さくなって受信不良やノイズが発生しないようにすることを目的とするものである。
【課題を解決するための手段】
【００１６】
前記課題を解決するために、本願の請求項１にかかる発明は、
スピーカから出力する音声信号をラジオバンド帯域の電波に変換して送信するトランスミッタと、前記トランスミッタによる送信中に、接続コードが接続されている状態と接続されていない状態がある１以上の接続端子とを有する電子機器であって、
前記接続端子の前記接続コードとの接続状態に基づいて前記トランスミッタの送信出力レベルを調整する出力レベル設定手段を備えたことを特徴とする。
【００１７】
また、本願の請求項２にかかる発明は、請求項１にかかる電子機器において、前記トランスミッタはＦＭトランスミッタであることを特徴とする。
【００１８】
また、本願の請求項３にかかる発明は、請求項１にかかる電子機器において、前記出力レベル設定手段は、前記接続端子の前記接続コードとの接続状態が異なっても電界強度が略一定になるように、送信出力レベルを調整することを特徴とする。
【００１９】
また、本願の請求項４にかかる発明は、請求項１にかかる電子機器において、前記接続端子の前記接続コードとの接続状態とは、前記接続コードが接続されている前記接続端子の組み合わせであることを特徴とする。
【００２０】
また、本願の請求項５にかかる発明は、請求項１ないし請求項４のいずれかにかかる電子機器において、前記電子機器はナビゲーション機能を有した携帯用・車載用兼用の電子機器であり、前記接続端子は外部電源コードを接続する接続端子、パーキングブレーキのＯＮ／ＯＦＦ検出コードを接続する接続端子、外部ＧＰＳアンテナコードを接続する接続端子あるいはイヤホンを接続する接続端子であることを特徴とする。
【発明の効果】
【００２１】
請求項１にかかる発明においては、電子機器は、トランスミッタと、前記トランスミッタによる送信中に、接続コードが接続されている状態と接続されていない状態がある１以上の接続端子とを有し、前記接続端子と前記接続コードとの接続状態に基づいて前記トランスミッタの送信出力レベルを調整する出力レベル設定手段を備える。
【００２２】
このような構成によれば、接続コードがアンテナとなり、コードが電子機器内部のアンテナと同様の電波を出力することで電界強度が変化するために、どのような端子の接続状態においても、出力レベル設定手段が送信出力レベルを調整するから、ＦＭトランスミッタから出力する際の電界強度が微弱無線局の規定を満足するように、且つ電界強度が小さくなって受信不良やノイズが発生しないようにすることができるようになる。
【００２３】
また、請求項２にかかる発明においては、請求項１にかかる電子機器において、前記トランスミッタはＦＭトランスミッタである。
【００２４】
このような構成によれば、ＦＭは空きチャネルが多いラジオバンド帯域であり、混信を防止することができるようになる。
【００２５】
また、請求項３にかかる発明においては、請求項１にかかる電子機器において、前記出力レベル設定手段は、前記接続端子の前記接続コードとの接続状態が異なっても電界強度が略一定になるように、送信出力レベルを調整する。
【００２６】
このような構成によれば、接続端子の接続コードとの接続状態が異なる場合でも、ＦＭトランスミッタから出力する際の電界強度が微弱無線局の規定を満足する範囲内で、受信側ができるだけ大きな感度で受信することができる電界強度に調整することが可能となる。
【００２７】
また、請求項４にかかる発明においては、請求項１にかかる電子機器において、前記接続端子の前記接続コードとの接続状態とは、接続コードが接続されている接続端子の組み合わせであり、接続コードが接続されている端子の組み合わせに基づいて送信出力レベルを調整する。
【００２８】
このような構成によれば、接続コードが接続されている接続端子の組み合わせによって変化する電界強度が異なるときでも、電界強度が略一定になるように送信出力レベルを調整することができるようになる。
【００２９】
また、請求項５にかかる発明においては、請求項１ないし請求項４のいずれかにかかる電子機器において、前記電子機器はナビゲーション機能を有した携帯用・車載用兼用の電子機器であり、前記接続端子は外部電源コードを接続する接続端子、パーキングブレーキのＯＮ／ＯＦＦ検出コードを接続する接続端子、外部ＧＰＳアンテナコードを接続する接続端子あるいはイヤホンを接続する接続端子である。
【００３０】
このような構成によれば、トランスミッタによる送信中に接続コードが接続されている状態と接続されていない状態がある接続端子を多く有するポータブルナビゲーション装置において、各接続端子の接続コードとの接続状態が異なる場合でも、出力レベル設定手段送信出力レベルを略一定に調整するから、ＦＭトランスミッタから出力する際の電界強度が微弱無線局の規定を満足し、且つ電界強度が小さくなって受信不良やノイズが発生しないようにすることができる。
【発明を実施するための最良の形態】
【００３１】
以下、本発明の具体例を携帯用・車載用兼用のポータブルナビゲーション装置に適用し、その実施例及び図面を用いて詳細に説明する。但し、以下に示す実施形態は、本発明の技術思想を具体化するための電子機器を例示するものであって、本発明をこのポータブルナビゲーション装置に特定することを意図するものではなく、特許請求の範囲に含まれるその他の実施形態の電子機器にも等しく適応し得るものである。
【実施例】
【００３２】
図１は、本発明の実施例にかかるポータブルナビゲーション装置１の要部の構成を示すブロック図である。
【００３３】
ナビゲーション機能部１１はナビゲーション装置として主要な機能を行うものであり、現在位置検出手段１１１、地図記憶手段１１２、経路探索手段１１３、音声合成手段１１４を有する。
【００３４】
現在位置検出手段１１１は、複数のＧＰＳ（Global Positioning System）衛星からの位置情報の電波を内部のＧＰＳアンテナで受信して現在位置を演算し、演算した現在位置のデータを後述する制御部１０に出力する。
【００３５】
地図記憶手段１１２は、経路探索、地図表示のための道路ネットワークデータを記憶する。道路ネットワークデータは地図データの道路（経路）の結節点、屈曲点の位置をノードとし、各ノードを結ぶ道路をリンクで表す。
【００３６】
経路探索手段１１３は、現在位置あるいは設定された出発地から設定された目的地までの案内経路を所定の探索条件に基づいて探索する。探索条件には燃料の消費量優先、時間優先、有料道路優先、一般道路優先といった項目がある。
【００３７】
音声合成手段１１４は、制御部１０から入力された文字コードの音声信号を出力する。
【００３８】
ＣＤ−ＤＶＤ再生手段１２は、ＣＤやＤＶＤに書き込まれた更新用地図情報を再生したり、音楽や画像を再生したりする。
【００３９】
スピーカ１３は、音声合成手段１１４が出力した音声や、ＣＤ／ＤＶＤ再生手段が再生した音を出力する。
【００４０】
入力手段１４は、使用者がポータブルナビゲーション装置１に係る種々の操作を行う。
【００４１】
表示手段１５は、液晶表示パネル（図示せず）とそのドライバ（図示せず）を有し、地図画像に経路画像や車両の現在位置を示す現在位置マークなどの画像を重畳して表示する。
【００４２】
接続端子群１６は、図２に列記する外部ＧＰＳ端子、ブレーキ検出端子、イヤホン端子、外部電源端子からなる。
【００４３】
外部ＧＰＳ端子は現在位置検出手段１１１内部のＧＰＳアンテナを補助する外部ＧＰＳアンテナコードが接続される端子である。
【００４４】
ブレーキ検出端子は車両のパーキングブレーキのＯＮ／ＯＦＦを検出するコードを接続する端子である。このブレーキ検出端子の用途は、例えば、安全運転のために、パーキングブレーキがＯＦＦになっているときは、ＴＶ画像又はＤＶＤ再生画像等の表示を禁止させるためにある。
【００４５】
イヤホン端子はイヤホンが接続される端子である。
【００４６】
外部電源端子は内部の二次電池（図示せず）に替えて外部から駆動電源を供給するための外部電源コードを接続するための端子である。
【００４７】
接続状態検出手段１７は、接続端子群１６の夫々の接続端子が夫々の接続端子に対応した接続コードと接続されているか否かを検出する。その検出方法は、接続コードの挿入に伴って接点が開閉することにより検出する方法や、電流の変化を検出する方法などがある。
【００４８】
出力レベル記憶手段１８は、図２に示す如く、接続端子群１６の夫々の接続端子が夫々の接続端子に対応した接続コードと接続されているか否かの状態に応じた出力レベルを予め記憶している。接続端子群１６の接続端子の種類は４種類であるので、出力レベル記憶手段１８には１６種類の出力レベルが記憶されている。
【００４９】
出力レベル設定手段１９は、接続状態検出手段１７が検出した接続端子の接続コードとの接続状態に応じた出力レベルを、出力レベル記憶手段１８に記憶された出力レベル（図２参照）から取得し、設定する。
【００５０】
トランスミッタ２０は、車両に配設されたスピーカ３１で出力させたい信号、即ち、音声合成手段１１４が出力した音声や、ＣＤ／ＤＶＤ再生手段が再生した音をＦＭラジオバンドの周波数帯域の電波に変換して、出力レベル設定手段１９が出力した出力レベルで内部のＦＭアンテナ（図示せず）から発信する。発信された信号は車両に搭載された音楽再生装置３０のＦＭ受信回路（図示せず）で受信され、車両に配設されたスピーカ３１から出力される。
【００５１】
制御部１０は、内部のＥＥＰＲＯＭ（図示せず）に記憶されたプログラムに基づいて各部を制御し、その動作に必要なデータを内部のＲＡＭ（図示せず）に記憶する。
【００５２】
次にＦＭトランスミッタについて説明する。
【００５３】
スピーカ１３から出力されるものは交差点の案内のみではなく、例えば、ＰＯＩなどの選択操作の案内や、警告音、ＣＤから再生される音楽、ＤＶＤの画像の音声などがある。ところが、ポータブルナビゲーション装置は携帯用であるため大きな音量を出力することができない。
【００５４】
しかし、音楽に対しては大きな音量が要求される。そこで、車両に配設されたスピーカ３１から出力させたい音楽信号をＦＭトランスミッタ２０でラジオバンド帯域の電波に変換して送信し、この電波をＦＭ車両に搭載された音楽再生装置３０のＦＭ受信回路（図示せず）で受信し、車両に配設されたスピーカ３１から出力する。
【００５５】
ところで、ポータブルナビゲーション装置１には、ＦＭトランスミッタから電波を送信しているときに、接続端子群１６の接続端子は、必ず接続コードが接続されているか接続されていないかのいずれかというものではなく、接続コードが接続されているときと接続されていないときがある。そして、接続コードが接続されているときは、接続コードがアンテナとなり、コードが電子機器内部のアンテナと同様の電波を出力することでコードが接続されていないときよりも電界強度が高くなる。
【００５６】
この電界強度が大きくなる程度は接続コードの形態や位置（特にＦＭトランスミッタ用アンテナとの相対的な位置関係）または、接続コードの本数によって異なる。例えば、イヤホンを接続すると、２ｄＢ上がるポータブルナビゲーション装置や、４ｄＢ上がるポータブルナビゲーション装置がある。
【００５７】
そこで、本発明にかかるポータブルナビゲーション装置１には図２に示す如く、ＦＭトランスミッタ２０から電波を送信しているときに、接続コードが接続されているときと接続されていないときがある全ての接続端子について、接続コードの有無の組み合わせに応じた出力テーブルを作成して出力レベル記憶手段１８に記憶させる。この出力テーブルの出力レベルは微弱無線局の規定の電界強度を超えず、且つ、できるだけ大きな電界強度となる略一定の電界強度に設定される。出力レベル設定手段１９は、出力レベル記憶手段１８に記憶される図２の出力レベルテーブルから接続状態検出手段１７が検出した接続端子の接続状態に応じた出力レベルを設定する。
【００５８】
図３は、以上説明した本発明のポータブルナビゲーション装置１の動作手順を示すフローチャートである。
【００５９】
先ず、ステップＳ１０１の処理でポータブルナビゲーション装置１において、トランスミッタ機能が起動されているか否かを判別する。トランスミッタ機能が起動されていない場合にはステップＳ１０５の処理でナビゲーション機能が起動されているか否かを判別する。ステップＳ１０５の判別処理においてナビゲーション機能も起動されていなければステップＳ１０１の判別処理に戻り、ナビゲーション機能が起動されていれば、処理を終了する。ステップＳ１０１の判別処理でトランスミッタ機能が起動されていると判別されると、ステップＳ１０２の処理に進み、接続状態検出手段１７は、接続端子群１６を調べ、接続端子の接続コードとの接続状態を検出する。検出は、各接続端子の状態を調べ、接続コードが接続されている状態か接続されていない状態かを識別して行う。
次いでステップＳ１０３の処理に進み、出力レベル設定手段１９は接続状態検出手段１７が検出した接続端子の接続コードとの接続状態に基づいて、出力レベル記憶手段１８に記憶されたる出力レベル（図２参照）を取得し、トランスミッタの出力レベルを設定する。そして、ステップＳ１０４の処理でトランスミッタ２０から出力が行われる。
【産業上の利用可能性】
【００６０】
上述の実施例の電子機器はポータブルナビゲーション装置であったが、ＦＭトランスミッタから電波を送信しているときに、接続コードが接続されているときと接続されていないときがある接続端子を有する電子機器に本発明を適応することができる。
【００６１】
例えば、ナビゲーション装置であれば、ＧＰＳの感度を向上させるための外部アンテナがある。
【００６２】
また、テレビ機能を有する機器であれば、テレビアンテナがある。また、ＣＤやＩＣなどの音響装置であれば、イヤホンがある。また、携帯電話装置であれば、イヤホンや外部電源コードがある。更に、ＦＭトランスミッタは車両のみでなく、室内のＦＭラジオ受信装置で受信することもでき、例えば、携帯電話装置に記憶された音楽を、ＦＭラジオ機能を有するミニコンポのスピーカから出力することもできる。
【００６３】
なお、本発明は、ＦＭ以外のラジオバンド帯域のトランスミッタにも適用することができる。
【図面の簡単な説明】
【００６４】
【図１】本発明のポータブルナビゲーション装置の要部を示すブロック図である。
【図２】接続端子の接続コードとの接続状態に応じた出力レベルのテーブルを示す図である。
【図３】本発明のポータブルナビゲーション装置の動作手順を示すフローチャートである。
【符号の説明】
【００６５】
１・・・・・・・ナビゲーション装置
１０・・・・・・制御部
１１・・・・・・ナビゲーション機能部
１１１・・・・・現在位置検出手段
１１２・・・・・地図記憶手段
１１３・・・・・経路探索手段
１１４・・・・・音声合成手段
１２・・・・・・ＣＤ／ＤＶＤ再生手段
１３・・・・・・スピーカ
１４・・・・・・入力手段
１５・・・・・・表示手段
１６・・・・・・接続端子群
１７・・・・・・接続状態検出手段
１８・・・・・・出力レベル記憶手段
１９・・・・・・出力レベル設定手段
２０・・・・・・トランスミッタ
【図１】
2009200653.tif 000003
【図２】
2009200653.tif 000004
【図３】
2009200653.tif 000005